(57)【特許請求の範囲】
【請求項１】
複数の楽音信号を形成するとともに同形成した複数の楽音信号を複数の楽音信号系列に振分けて出力する楽音信号発生回路と、
前記出力された複数系列の楽音信号に音楽的効果を付与して出力する効果回路とを備えた楽音信号処理装置において、
前記複数系列の楽音信号の各音量レベルをそれぞれ検出する音量レベル検出手段と、
前記検出された各音量レベルのうちで最大の音量レベルを抽出する最大音量レベル抽出手段と、
前記抽出された最大の音量レベルに応じて変化する制御信号を前記効果回路に出力して同効果回路にて楽音信号に付与される音楽的効果の態様を変更制御する効果制御手段とを設けたことを特徴とする楽音信号処理装置。
【請求項２】
楽音信号を形成して出力する楽音信号発生回路と、
前記出力された楽音信号に音楽的効果を付与して出力する効果回路とを備えた楽音信号処理装置において、
前記楽音信号の音量レベルを検出する音量レベル検出手段と、
音量レベルの閾値を所望の値に設定することが可能な閾値設定手段と、
前記検出音量レベルと前記設定された閾値とを比較する比較手段と、
前記比較手段の比較結果に基づいて、前記検出音量レベルが前記閾値以上のとき同検出音量レベルに応じて前記効果回路にて楽音信号に付与される音楽的効果の態様を変更制御し、同検出音量レベルが同閾値未満のとき同検出音量レベルとは独立して前記効果回路にて楽音信号に付与される音楽的効果の態様を所定態様に維持制御する効果制御手段とを設けたことを特徴とする楽音信号処理装置。
【発明の詳細な説明】
【０００１】
【発明の属する技術分野】
本発明は、発生される楽音信号の音量レベルに応じて同楽音信号に付与される音楽的効果の態様を変更制御する楽音信号処理装置に関する。
【０００２】
【従来の技術】
従来から、楽音信号発生回路から発生される楽音信号の音量レベルを検出して、同検出した音量レベルに応じて同楽音信号に付与される音楽的効果の態様を変更制御する楽音信号処理装置は知られている。また、この種の楽音信号処理装置においては、楽音信号を左右チャンネルに振分けて楽音信号発生回路から出力するようにした場合には、左右チャンネルの各楽音信号の音量レベルの平均値に応じて、各楽音信号に付与される音楽的効果の態様を変更制御するようにしていた。
【０００３】
【発明が解決しようとする課題】
しかし、上記従来の装置のように、左右チャンネルの各楽音信号の音量レベルの平均値に応じて、各楽音信号に付与される音楽的効果の態様を変更制御すると、次のような問題がある。すなわち、ユーザが一方のチャンネルの楽音信号の発生を中断したとき、前記音量レベルの平均値が急激に半分に低下し、楽音信号に付与される音楽的効果の態様が急激に変化して音楽的に不自然になるという問題がある。また、一方のチャンネルで持続系の楽音信号を発生するとともに、他方のチャンネルで減衰系の楽音信号を発生する場合において、減衰系の楽音信号の音量レベルの変化が激しいので、楽音信号に付与される音楽的効果の態様が急激に変化し過ぎて音楽的に不自然になるという問題もある。
【０００４】
また、楽音信号の音量レベルに応じて比例的に同楽音信号に付与される音楽的効果の態様を変更制御すると、楽音信号の音量レベルが低くなったとき、安定した音楽的効果の付与がなされないという問題もある。特に、減衰系の楽音信号においては、音量レベルの変動が大きく、音楽的効果の態様の変化が激しくて音楽的に不自然であるという問題もある。
【０００５】
【発明の概要】
本発明は、上記問題に対処するためになされたもので、その目的は、発生楽音信号の音量レベルに応じて同楽音信号に付与される音楽的効果の態様を変更制御する楽音信号処理装置において、良好な音楽的効果の変化を実現するようにした楽音信号処理装置を提供することにある。
【０００６】
前記目的を達成するために、本発明の構成上の特徴は、複数の楽音信号を形成するとともに同形成した複数の楽音信号を複数の楽音信号系列に振分けて出力する楽音信号発生回路と、前記出力された複数系列の楽音信号に音楽的効果を付与して出力する効果回路とを備えた楽音信号処理装置において、複数系列の楽音信号の各音量レベルをそれぞれ検出する音量レベル検出手段と、前記検出された各音量レベルのうちで最大の音量レベルを抽出する最大音量レベル抽出手段と、前記抽出された最大の音量レベルに応じて変化する制御信号を効果回路に出力して同効果回路にて楽音信号に付与される音楽的効果の態様を変更制御する効果制御手段とを設けたことにある。
【０００７】
前記本発明の構成上の特徴においては、複数系列の楽音信号に付与される音楽的効果は、各系列の楽音信号の音量レベルのうちで最大の音量レベルに応じて変更制御されることになる。したがって、ユーザが一部の系列の楽音信号の発生を中断しても、一部の系列の楽音信号が減衰系の場合であっても、前記最大の音量レベルの変化はそれほど大きくなることはなく、楽音信号に付与される音楽的効果の態様が急激に変化することを回避できるので、良好な音楽的効果の変化を実現できる。
【０００８】
また、本発明の他の構成上の特徴は、楽音信号を形成して出力する楽音信号発生回路と、前記出力された楽音信号に音楽的効果を付与して出力する効果回路とを備えた楽音信号処理装置において、楽音信号の音量レベルを検出する音量レベル検出手段と、音量レベルの閾値を所望の値に設定することが可能な閾値設定手段と、前記検出音量レベルと前記設定された閾値とを比較する比較手段と、比較手段の比較結果に基づいて、検出音量レベルが閾値以上のとき検出音量レベルに応じて効果回路にて楽音信号に付与される音楽的効果の態様を変更制御し、検出音量レベルが閾値未満のとき検出音量レベルとは独立して効果回路にて楽音信号に付与される音楽的効果の態様を所定態様に維持制御する効果制御手段とを設けたことにある。
【０００９】
前記本発明の他の構成上の特徴においては、楽音信号の音量レベルが所定の閾値よりも低くなったときには、効果制御手段は、検出音量レベルとは独立して、効果回路にて楽音信号に付与される音楽的効果の態様を所定態様に維持制御する。したがって、楽音信号の音量レベルが低くなっても、特に楽音信号が減衰系の場合でも、楽音信号に付与される音楽的効果の態様を常に安定して制御できるので、良好な音楽的効果の変化を実現できる。また、比較手段にて比較される閾値を自由に変更できるので、ユーザは、音楽的効果の態様の変更制御における一部の特性を所望の特性に設定できるようになる。
【００１１】
【発明の実施の形態】
以下、本発明の第１実施形態を図面を用いて説明すると、図１は、本発明の楽音信号処理装置を適用した電子楽器の全体をブロック図により示している。
【００１２】
この電子楽器は、発生楽音の音高を指定するための複数の鍵からなる鍵盤１０を有している。鍵盤１０の各鍵の押離鍵は押鍵検出回路１１によって検出されるようになっており、押鍵検出回路１１によって検出された鍵の押離鍵を表す押離鍵信号は押鍵割当て回路１２に供給されるようになっている。押鍵割り当て回路１２は、鍵盤１０におけるいずれかの鍵の押鍵に応答して、同押鍵された鍵に対応した楽音信号の形成を楽音信号発生回路２０に設けられた複数の楽音信号形成チャンネルのうちのいずれかのチャンネルに割当てる。この場合、押鍵割り当て回路２０から前記割当てられた楽音信号形成チャンネルに対して、押鍵された鍵を表すキーコードＫＣおよび押鍵を表すキーオン信号ＫＯＮが供給される。また、押鍵割当て回路２０は、鍵盤１０におけるいずれかの鍵の離鍵に応答して、同離鍵された鍵に対応した楽音信号を発生中の楽音信号形成チャンネルを探し出し、同探し出した楽音信号形成チャンネルに対して離鍵を表すキーオフ信号ＫＯＦを供給する。
【００１３】
楽音信号発生回路２０は、前述した複数の楽音信号形成チャンネルを備え、同時に複数の楽音信号を形成出力することができるようになっている。各楽音信号形成チャンネルは、キーコードＫＣおよびキーオン信号ＫＯＮの入力に応答して、同キーコードＫＣによって指定される音高の楽音信号をそれぞれ形成出力し始め、キーオフ信号ＫＯＦの入力に応答して発生中の楽音信号を減衰させてその発生を停止する。また、この楽音信号発生回路２０は、形成された複数の楽音信号を複数の楽音信号系列に振分けて、効果回路３０に出力する。なお、この第１実施形態において、楽音信号形成回路２０から出力される複数系列の楽音信号はアナログ信号である。
【００１４】
また、本実施形態においては、楽音信号系列の数は「２」であり、これらの楽音信号系列は左チャンネル信号Ｌおよび右チャンネル信号Ｒとして出力される。この場合、例えば鍵盤１０がメロディ用鍵盤（またはメロディ用鍵域）と伴奏用鍵盤（または伴奏用鍵域）で構成されていれば、メロディ用鍵盤で演奏された楽音信号が左チャンネル信号Ｌとして振分けられるとともに、伴奏用鍵盤の演奏による楽音信号が右チャンネル信号Ｒとして振分けられる。また、これに代え、図示しないオートリズムによる演奏音、図示しない自動演奏装置（シーケンサ）による演奏音およびユーザによる演奏音などの演奏音の種類に応じて、楽音信号が左右チャンネル信号Ｌ，Ｒに振分けられるようにしてもよい。さらに、ピアノ音、バイオリン音、ギター音、打楽器音などのように発生される楽音信号の音色の種類によって、楽音信号が左右チャンネル信号Ｌ，Ｒに振分けられるようにしてもよい。
【００１５】
効果回路３０は、左右チャンネル信号Ｌ，Ｒに対して種々の音楽的効果を付加し、同音楽的効果の付加された左右チャンネル信号Ｌ，Ｒをアンプ４１，４２を介してスピーカ４３，４４にそれぞれ供給する。音楽的効果としては、音色（または音質）を変更する効果、フェイザー効果（位相シフトした信号と元信号を混合）、フランジャー効果（遅延信号と原音信号を混合）、トレモロ、コーラスなどの変調効果などの種々の効果が採用され、これらの効果は図示しない制御データ又はユーザによる選択によって選択的に楽音信号に付与される。
【００１６】
また、この効果回路３０は、後述する制御信号発生器５７から出力される制御信号の大きさに応じて、左右チャンネル信号Ｌ，Ｒに対して付与される音楽的効果の態様を変更制御して出力する。言い換えれば、制御信号発生器５７は、効果回路３０に制御信号を出力して、効果回路３０にて楽音信号に付加される音楽的効果の態様を制御信号の大きさに応じて変更制御する。例えば、音色（または音質）を変更する効果であれば、制御信号に応じてフィルタのカットオフ周波数、共振周波数、共振度などが変更制御される。フェイザー効果であれば、位相のシフト量が変更制御される。フランジャー効果であれば、楽音信号の遅延時間が変更制御される。トレモロ、コーラスなどの変調効果であれば、変調の深さ、変調の周波数が変更制御される。
【００１７】
また、この電子楽器は、楽音信号の音量レベルに応じて効果回路３０にて楽音信号に付与される音楽的効果の態様を変更制御するために、レベル検出回路５１，５２を備えている。レベル検出回路５１，５２は、整流回路及び積分回路（ローパスフィルタ）で構成され、左右チャンネル信号Ｌ，Ｒの振幅エンベロープを検出して音量レベルとして最大値抽出回路５３にそれぞれ出力する。最大値抽出回路５３は、レベル検出回路５１，５２から出力される各音量レベルを表す電圧信号のうちの大きな方の電圧信号を最大音量レベルＬｍａｘとして選択回路５４の第１入力に供給する。選択回路５４の第２入力には、ポテンショメータ５５からの閾値レベルＬｔｈを表す電圧信号が入力されている。このポテンショメータ５５の可動子は操作子５５ａの操作によって可動されるもので、同操作子５５ａの操作位置に応じて閾値レベルＬｔｈは連続的に変化する。
【００１８】
これらの最大音量レベルＬｍａｘおよび閾値レベルＬｔｈは、比較器５６の正負の入力にもそれぞれ入力されている。比較器５６の出力は選択回路５４の選択制御入力に供給されており、比較器５６は、最大音量レベルＬｍａｘが閾値レベルＬｔｈ以上であるとき選択回路５４にハイレベル信号を出力して、選択回路５４に第１入力である最大音量レベルＬｍａｘを選択出力させる。一方、最大音量レベルＬｍａｘが閾値レベルＬｔｈ未満であるとき、比較器５６は、選択回路５４にローレベル信号を出力して、選択回路５４に第２入力である閾値レベルＬｔｈを選択出力させる。
【００１９】
選択回路５４の出力電圧は、制御信号発生器５７に入力される。制御信号発生器５７は、選択回路５４と共に効果制御手段を構成するもので、入力信号をそのレベルに応じて変化するレベルを有する制御信号に変換して出力するもので、所定の変換特性を有する関数発生器などで構成されている。この変換特性は、例えば図２の細い実線に示すように、入力信号のレベルが増加するに従って出力信号（制御信号）のレベルが増加するように定められている。したがって、この場合、最大値抽出回路５３の出力信号である最大音量レベルＬｍａｘが閾値レベルＬｔｈ以上であれば、制御信号発生器５７は、図２の太い実線のように、最大音量レベルＬｍａｘの増加に従って増加する制御信号を出力する。しかし、最大値抽出回路５３の出力信号である最大音量レベルＬｍａｘが閾値レベルＬｔｈ未満であれば、制御信号発生器５７は、選択回路５４および比較器５６との協働により、図２の太い破線のように、閾値レベルＬｔｈに対応した一定レベルの制御信号を出力する。
【００２０】
次に、上記のように構成した第１実施形態の動作を説明する。ユーザが鍵盤１０の各鍵を押離鍵操作すると、押鍵検出回路１１の押離鍵検出動作および押鍵割当て回路１２の割当て動作により、楽音信号発生回路２０は、前記押離鍵操作に対応した楽音信号を形成して出力する。この楽音信号の発生においては、複数の楽音信号が、左右チャンネル信号Ｌ，Ｒに振分けられて出力される。例えば、前述したように、演奏された鍵盤の種類、演奏音の種類、発生楽音信号の音色の種類などに応じて、複数の楽音信号は左右チャンネル信号Ｌ，Ｒに振分けられる。
【００２１】
そして、この左右チャンネル信号Ｌ，Ｒは、効果回路３０に導かれ、同効果回路３０にて、音色（または音質）を変更する効果、フェイザー効果、フランジャー効果、トレモロ、コーラスなどの変調効果などの種々の効果が付与される。この効果の付与された左右チャンネル信号Ｌ，Ｒは、アンプ４１，４２を介してスピーカ４３，４４に導かれて、スピーカ４３，４４から楽音として発音される。
【００２２】
一方、レベル検出回路５１，５２、最大値抽出回路５３、選択回路５４、比較器５６及び制御信号発生器５７は、発生される楽音信号の音量レベルに応じた制御信号を効果回路３０に出力して、効果回路３０にて発生楽音信号に付与される音楽的効果の態様を制御する。
【００２３】
この音楽的効果の付与態様の制御においては、レベル検出回路５１，５２が左右チャンネル信号Ｌ，Ｒの各音量レベルをそれぞれ検出し、最大値抽出回路５３が左右チャンネル信号Ｌ，Ｒの各音量レベルのうちの大きい方の音量レベルを抽出して最大音量レベルＬｍａｘとして出力する。そして、最大音量レベルＬｍａｘが閾値レベルＬｔｈ以上であれば、選択回路５４、比較器５６および制御信号発生器５７の作用により、効果回路３０には図２の太い実線で示すような制御信号が供給され、同効果回路３０にて左右チャンネル信号Ｌ，Ｒに付与される音楽的効果の態様は、最大音量レベルＬｍａｘに応じて変更制御される。
【００２４】
したがって、ユーザが左右チャンネル信号Ｌ，Ｒの一方の系列の楽音信号の発生を中断しても、また一方の系列の楽音信号が減衰系の場合であっても、最大音量レベルＬｍａｘの変化はそれほど大きくなることはなく、楽音信号に付与される音楽的効果の態様が急激に変化することを回避できるので、良好な音楽的効果の変化を実現できる。
【００２５】
また、最大音量レベルＬｍａｘが閾値レベルＬｔｈ未満であれば、選択回路５４、ポテンショメータ５５および比較器５６の作用により、制御信号発生器５７にはポテンショメータ５５からの閾値レベルＬｔｈが常に供給されることになる。そして、制御信号発生器５７から効果回路３０には、図２の太い破線のように、最大音量レベルＬｍａｘとは無関係に、閾値レベルＬｔｈに対応した一定レベルの制御信号が供給される。したがって、効果回路３０にて楽音信号に付与される効果の態様は、左右チャンネル信号Ｌ，Ｒの音量レベルとは無関係に、所定態様に維持制御される。これにより、楽音信号の音量レベルが低くなっても、特に減衰系の楽音信号の場合でも、楽音信号に付与される音楽的効果の態様を常に安定して制御できるので、良好な音楽的効果の変化を実現できる。
【００２６】
また、前記閾値レベルＬｔｈは、操作子５５ａの操作によってユーザが任意に変更できる。したがって、ユーザは、音楽的効果の態様の変更制御における一部の特性をユーザの所望の特性にすることができる。
【００２７】
次に、本発明の第２実施形態に係る電子楽器について説明する。この第２実施形態に係る電子楽器は、図３に示すように、上記第１実施形態と同様な鍵盤１０、押鍵検出回路１１および押鍵割当て回路１２を備えている。なお、この第２実施形態においては、鍵盤１０はメロディ用鍵盤（またはメロディ用鍵域）と伴奏用鍵盤（または伴奏用鍵域）とを備えていることを特徴の一つとしている。そして、押鍵割当て回路１２は、上記第１実施形態と同様なキーコードＫＣ、キーオン信号ＫＯＮおよびキーオフ信号ＫＯＦの他に、前記キーコードＫＣおよびキーオン信号ＫＯＮがメロディ用鍵盤の押鍵に関するものであるか、伴奏用鍵盤の押鍵に関するものであるかを表す鍵識別信号Ｕ／Ｌを出力する。なお、これらの各種信号ＫＣ，ＫＯＮ，ＫＯＦ，Ｕ／Ｌは、楽音信号の各時分割チャンネルに対応した時分割タイミングで楽音信号発生回路２０Ａに出力され、特に鍵識別信号Ｕ／Ｌは前記時分割タイミングで繰り返し出力される。
【００２８】
楽音信号発生回路２０Ａは、上記第１実施形態の楽音信号発生回路２０とほぼ同一機能を有するものであるが、左右チャンネル信号Ｌ，Ｒとしてディジタル形式の楽音信号が出力される点で上記第１実施形態のものとは異なる。この楽音信号発生回路２０Ａにおいては、時分割チャンネルごとに発生される楽音信号および同チャンネルごとに発生される振幅エンベロープ信号を利用するために、その内部が詳細に示されている。すなわち、楽音信号発生回路２０Ａは、波形発生部２１、フィルタ部２２、フィルタ制御信号発生部２３、振幅制御部２４、振幅エンベロープ波形発生部２５、左右チャンネル振分け部２６およびアキュムレータ２７，２８を備えている。
【００２９】
波形発生部２１は、キーコードＫＣによって表された音高に対応したレートで音源波形の波形サンプル値を波形メモリから読出しまたは演算により順次繰り返す出力する。フィルタ部２２は、フィルタ制御信号発生部２３からのフィルタ制御信号により、波形発生部２１から出力された一連の波形サンプル値により表された波形信号の周波数特性を制御して出力する。フィルタ制御信号発生部２３は、キーオン信号ＫＯＮおよびキーオフ信号ＫＯＦに応答して、楽音信号の発生中に時間変化するフィルタ制御信号を出力する。振幅制御部２４は、フィルタ部２２からの波形信号に振幅エンベロープ波形発生部２５からの振幅エンベロープ波形を付与して出力する。振幅エンベロープ波形発生部２５は、キーオン信号ＫＯＮおよびキーオフ信号ＫＯＦに応答して、楽音信号の発生開始から終了までの振幅エンベロープを表す振幅エンベロープ波形信号を出力する。
【００３０】
これらの波形発生部２１、フィルタ部２２、フィルタ制御信号発生部２３、振幅制御部２４および振幅エンベロープ波形発生部２５は、それぞれ同期して時分割動作し、同時に発音可能な楽音数に等しい複数の時分割チャンネル（楽音信号形成チャンネルに対応）ごとに一楽音信号の一サンプル値を順次ディジタル演算する。なお、この同時に発音可能な楽音数に等しい複数の時分割チャンネルの演算に必要な時間を１サンプル時間という。
【００３１】
左右チャンネル振分け部２６は、時分割チャンネルに対応した時分割タイミングごとに押鍵割当て回路１２から出力される鍵識別信号Ｕ／Ｌに基づいて、振幅制御部２４から前記時分割タイミングごとに出力される楽音信号波形値を左右チャンネルに振分けてアキュムレータ２７，２８に供給する。各アキュムレータ２７，２８は、一サンプル時間ごとにその間に入力される楽音信号波形値をそれぞれディジタル的に累算して、左右チャンネル信号Ｌ，Ｒとして効果回路３０Ａに出力する。
【００３２】
効果回路３０Ａも、上記第１実施形態の効果回路３０と同様に、左右チャンネル信号Ｌ，Ｒに音色（または音質）を変更する効果、フェイザー効果、フランジャー効果、トレモロ、コーラスなどの変調効果などの種々の効果を付与するものである。しかし、この場合には、効果回路３０Ａは、ディジタル処理回路で構成され、ディジタル的に音楽的効果の付与されたディジタル形式の左右チャンネル信号Ｌ，ＲをＤ／Ａ変換器４５，４６に出力する。Ｄ／Ａ変換器４５，４６は、ディジタル形式の左右チャンネル信号Ｌ，Ｒを一サンプル時間ごとにアナログ信号に変換して上記第１実施形態と同様なアンプ４１，４２およびスピーカ４３，４４に出力する。
【００３３】
また、この第２実施形態においても、効果回路３０Ａにて楽音信号に付与される音楽的効果の態様を制御するための最大値抽出回路５３Ａ、選択回路５４Ａ、閾値レベル発生器５５Ａ、比較器５６Ａおよび制御信号発生器５７Ａが設けられている。最大値抽出回路５３Ａ、選択回路５４Ａ、比較器５６Ａおよび制御信号発生器５７Ａは、ディジタル形式の信号を処理する点を除いて、上記第１実施形態の最大値抽出回路５３、選択回路５４、比較器５６および制御信号発生器５７と同一機能を発揮する。特に、最大値抽出回路５３Ａは、上記第１実施形態と同様な最大音量レベルＬｍａｘを表すディジタル信号を選択回路５４Ａに出力する。閾値レベル発生器５５Ａは、上記第１実施形態のポテンショメータ５５に対応するもので、操作子５５ａの操作位置に応じて閾値Ｌｔｈを表すディジタル信号を出力する。
【００３４】
また、この第２実施形態においては、上記第１実施形態のレベル検出回路５１，５２と同様に左右チャンネル信号Ｌ，Ｒの音量レベルを検出するための左右チャンネル振分け回路６１およびアキュムレータ６２，６３が設けられている。左右チャンネル振分け回路６１は、前述した鍵識別信号Ｕ／Ｌに基づいて、振幅エンベロープ波形発生部２５から前記時分割タイミングごとに出力される振幅エンベロープ波形値を左右チャンネルに振分けてアキュムレータ６２，６３に供給する。各アキュムレータ６２，６３は、一サンプル時間ごとにその間に入力される振幅エンベロープ波形値をそれぞれディジタル的に累算して、左右チャンネル信号Ｌ，Ｒの音量レベルとして最大値抽出回路５３Ａに出力する。
【００３５】
この場合、振幅エンベロープ波形発生部２５から時分割出力される振幅エンベロープ波形値は、同時に発生される各楽音信号の各音量レベルの瞬時値を表すものである。したがって、左右チャンネル振分け回路６１により左右チャンネルＬ，Ｒに対応して振分けられ、アキュムレータ６２，６３により一サンプル時間にわたって累算された左右チャンネルＬ，Ｒごとの振幅エンベロープ波形値の各累算値は、左右チャンネル信号Ｌ，Ｒの各音量レベルを表している。
【００３６】
このように構成した第２実施形態に係る電子楽器においても、上記第１実施形態の場合と同様に、ユーザが鍵盤１０の各鍵を押離鍵操作すると、押鍵検出回路１１および押鍵割当て回路１２の動作により、前記押離鍵操作に対応した楽音信号が左右チャンネル信号Ｌ，Ｒに振分けられて楽音信号発生回路２０Ａから出力される。そして、この左右チャンネル信号Ｌ，Ｒは、効果回路３０Ａにて上記第１実施形態の場合と同様な音楽的効果が付与されて出力される。
【００３７】
また、この第２実施形態においても、アキュムレータ６２，６３の各出力は左右チャンネル信号Ｌ，Ｒの各音量レベルを表しているので、効果回路３０Ａにおいて左右チャンネル信号Ｌ，Ｒに付与される音楽的効果の態様が発生される楽音信号の音量レベルに応じて制御される点も上記第１実施形態の場合と同じである。また、この第２実施形態においても、最大音量レベルＬｍａｘが閾値レベルＬｔｈ以上であれば、最大値抽出回路５３Ａ、選択回路５４Ａ、比較器５６Ａおよび制御信号発生器５７Ａにより、効果回路３０Ａにて左右チャンネル信号Ｌ，Ｒに付与される音楽的効果の態様は、最大音量レベルＬｍａｘに応じて変更制御される。したがって、この場合も、ユーザが左右チャンネル信号Ｌ，Ｒの一方の系列の楽音信号の発生を中断しても、また一方の系列の楽音信号が減衰系の場合であっても、楽音信号に付与される音楽的効果の態様が急激に変化することを回避できるので、良好な音楽的効果の変化を実現できる。
【００３８】
また、最大音量レベルＬｍａｘが閾値レベルＬｔｈ未満であれば、選択回路５４Ａ、閾値レベル発生器５５Ａ、比較器５６Ａおよび制御信号発生器５７Ａの作用により、最大音量レベルＬｍａｘとは無関係に、閾値レベルＬｔｈに対応した一定レベルの制御信号が効果回路３０Ａに供給される。そして、この場合も、効果回路３０Ａにて楽音信号に付与される音楽的効果の態様は、左右チャンネル信号Ｌ，Ｒの音量レベルとは無関係に、所定態様に維持制御されるので、楽音信号の音量レベルが低くなっても、特に減衰系の楽音信号の場合でも、楽音信号に付与される音楽的効果の態様を常に安定して制御できるので、良好な音楽的効果の変化を実現できる。
【００３９】
また、前記閾値レベルＬｔｈを、操作子５５ａの操作によってユーザが任意に変更できる点も上記第１実施形態と同じであり、この場合も、ユーザは、音楽的効果の態様の変更制御における一部の特性を所望の特性にすることができる。
【００４０】
さらに、この第２実施形態においては、左右チャンネル振分け回路６１およびアキュムレータ６２，６３により、振幅エンベロープ波形発生部２５から出力されるディジタル形式の振幅エンベロープ波形値を用いて左右チャンネル信号Ｌ，Ｒの各音量レベルを検出するようにした。したがって、この方法によれば、音量レベルを表す値が直接的に演算により導出されるので、左右チャンネル信号Ｌ，Ｒの音量レベルが簡単かつ正確に検出され、簡単な構成で良好な音楽的効果の付与態様を変更制御できる。
【００４１】
なお、上記第２実施形態においても、上記第１実施形態の場合と同様に、演奏音の種類、発生楽音信号の音色の種類などに応じて、複数の楽音信号を左右チャンネル信号Ｌ，Ｒに振分けるようにしてもよい。この場合、左右チャンネル振分け部２６および左右チャンネル振分け回路６１を、上記鍵識別信号Ｕ／Ｒに代えて、前記演奏音の種類、発生楽音信号の音色の種類などを表す信号を用いて振分けを制御させるようにすればよい。
【００４２】
また、上記第２実施形態においても、上記第１実施形態の場合と同様に、左右チャンネル信号Ｌ，Ｒに基づいて各音量レベルを検出するようにしてもよい。この場合、アキュムレータ２７，２８の出力を絶対値変換するとともに、同絶対値変換された値を平滑化（ローパスフィルタ処理）するようにして、左右チャンネル信号Ｌ，Ｒの各音量レベルを検出するようにすればよい。
【００４３】
なお、上記第１および第２実施形態においては、出力される楽音信号の系列を左右の２チャンネルしたが、さらに多くの系列数を有する電子楽器にも本発明は適用されるものである。この場合、各系列ごとにレベル検出回路５１（または５２）を設けたり、アキュムレータ６２（または６３）をそれぞれ設けるようにして、最大値抽出回路５３，５３Ａで全てのレベル検出回路またはアキュムレータ出力のうちから最大値を抽出するようにすればよい。
【００４４】
また、上記第１および第２実施形態においては、全ての回路をハード回路で構成するようにしたが、これらの回路の機能の一部または全部をプログラム制御によるソフト処理によっても実現できる。例えば、楽音信号の形成、音楽的効果の付加、音量レベルの検出、最大値の抽出、楽音信号に付与される音楽的効果の態様の変更制御などの一部または全部の処理をプログラム制御によるソフト処理によって行うようにしてもよい。
【００４５】
また、上記第１および第２実施形態においては、本発明を鍵盤１０を有する電子楽器に適用した例について説明したが、本発明は、鍵盤１０を備えていなくても、楽音信号を形成出力する音源回路ユニットおよび音楽的効果を楽音信号に付加することが可能な効果回路ユニットを備えた各種音楽機器にも適用できる。例えば、自動演奏機、シーケンサ、リズム装置などの音楽機器にも適用可能である。
【００４６】
さらに、本発明の実施にあたっては、上記各実施形態及びそれらの変形例に限定されるものではなく、本発明の目的を逸脱しない限りにおいて種々の変更が可能である。
【図面の簡単な説明】
【図１】本発明の第１実施形態に係る電子楽器の概略ブロック図である。
【図２】図１の制御信号発生器における信号の変換特性を示すグラフである。
【図３】本発明の第２実施形態に係る電子楽器の概略ブロック図である。
【符号の説明】
１０…鍵盤、１１…押鍵検出回路、１２…押鍵割当て回路、２０，２０Ａ…楽音信号発生回路、３０，３０Ａ…効果回路、４３，４４…スピーカ、５１，５２…レベル検出回路、５３，５３Ａ…最大値抽出回路，５４，５４Ａ…選択回路、５５…ポテンショメータ、５５Ａ…閾値レベル発生器、５５ａ…操作子、５６，５６Ａ…比較器、５７，５７Ａ…制御信号発生器、６１…左右チャンネル振分け回路、６２，６３…アキュムレータ。
【図１】
0003614117.tif 000002
【図２】
0003614117.tif 000003
【図３】
0003614117.tif 000004